(57)【要約】【課題】  鍵本体へのキャプスタンの取付け位置を前後方向の任意の位置に調整でき、それにより、鍵のタッチ重さをより広い範囲で調整することができる鍵盤楽器の鍵を提供する。【解決手段】  押鍵に伴って回動することにより、アクション２１を駆動する鍵盤楽器の鍵２であって、前後方向に延び、中央において支点Ｓに回動自在に支持された鍵本体２ａと、鍵本体２ａの支点Ｓよりも後ろ側に、前後方向に移動自在に設けられたキャプスタン取付け部材１３と、移動したキャプスタン取付け部材１３を、前後方向の任意の位置において鍵本体２ａに保持する取付け部材保持手段１５と、キャプスタン取付け部材１３に一体に設けられ、アクション２１が載置されるとともに、押鍵に伴ってアクション２１を突き上げるキャプスタン１４と、を備えている。【選択図】  図２
2008090167.tif 000002
【特許請求の範囲】
【請求項１】
押鍵に伴って回動することにより、アクションを駆動する鍵盤楽器の鍵であって、
前後方向に延び、中央において支点に回動自在に支持された鍵本体と、
前記鍵本体の前記支点よりも後ろ側に、前後方向に移動自在に設けられたキャプスタン取付け部材と、
移動した前記キャプスタン取付け部材を、前後方向の任意の位置において前記鍵本体に保持する取付け部材保持手段と、
前記キャプスタン取付け部材に一体に設けられ、前記アクションが載置されるとともに、押鍵に伴って前記アクションを突き上げるキャプスタンと、
を備えていることを特徴とする鍵盤楽器の鍵。
【請求項２】
前記キャプスタン取付け部材は、前記鍵本体の上面に載置されるとともに、前後方向に延びかつ上下方向に貫通する長孔を有し、
前記取付け部材保持手段は、前記長孔を介して前記鍵本体にねじ込まれ、前記キャプスタン取付け部材を前記鍵本体に固定するねじで構成されていることを特徴とする請求項１に記載の鍵盤楽器の鍵。
【請求項３】
前記キャプスタン取付け部材は、前記鍵本体の上面に載置されるとともに、前後方向に貫通するねじ孔を有し、
前記鍵本体の上面の前記キャプスタン取付け部材よりも前側および後ろ側にそれぞれ配置され、前記鍵本体と一体に設けられた前後のねじ支持部と、
前記キャプスタン取付け部材の前後方向の位置を調整するために、前記キャプスタン取付け部材の前記ねじ孔にねじ込まれるとともに、前記前後のねじ支持部に回転自在かつ前後方向に移動不能に支持された調整ねじと、
をさらに備えていることを特徴とする請求項１に記載の鍵盤楽器の鍵。
【請求項４】
前記鍵本体は、前後方向に延びるとともに上下方向に貫通する長孔を有し、
前記キャプスタン取付け部材は、上下方向に貫通するねじ取付け孔を有し、
前記取付け部材保持手段は、
上方から前記ねじ取付け孔および前記長孔に通されたねじと、
前記鍵本体の下面に回転不能に設けられ、前記ねじがねじ込まれたナットと、
を有していることを特徴とする請求項３に記載の鍵盤楽器の鍵。
【発明の詳細な説明】
【技術分野】
【０００１】
本発明は、押鍵に伴って回動することにより、アクションを駆動する鍵盤楽器の鍵に関する。
【背景技術】
【０００２】
一般に、アコースティックピアノの鍵には、押鍵時にアクションを駆動するためにキャプスタンが設けられている。アップライトピアノでは、中央において支点に支持された鍵の後端部に、例えば真鍮で構成されたポストワイヤが立設されており、キャプスタンは、その上端部に取り付けられていて、その上にアクションが載置されている。また、キャプスタンは、押鍵時に鍵が支点を中心として回動するのに伴い、アクションを突き上げ、それに応じてハンマーが打弦することによって、ピアノ音が発生する。
【０００３】
また、ポストワイヤは、これを前方または後方に曲げることによって、鍵のタッチ感を調整するのに用いられる。例えば、ポストワイヤを前方に曲げると、キャプスタンとアクションとの接点が前側に移動し、接点と鍵の支点との間の距離が小さくなることによって、アクションなどの重量により支点回りに作用するモーメントが小さくなる。このように、ポストワイヤを曲げることにより、支点回りのモーメントが変化し、鍵の静的荷重が変化することによって、鍵のタッチ重さが調整される。
【０００４】
しかし、上記のようにポストワイヤを曲げると、ポストワイヤと鍵の間の角度関係が本来の垂直な関係から斜めに変化するため、押鍵時に、鍵の駆動力がキャプスタンを介してアクションに十分、伝達されなくなるおそれがある。また、例えば、グランドピアノでは、ポストワイヤは用いられず、キャプスタンスクリューが鍵に直接、取り付けられているので、上記のような調整の手法を用いることはできない。
【０００５】
一方、従来のグランドピアノの鍵として、例えば特許文献１に開示されたものが知られている。この鍵は、バランスピンを中心として回動自在の鍵本体と、鍵本体の上面のバランスピンよりも後ろ側に設けられたキャプスタンスクリューを備えており、キャプスタンスクリューにはアクションが載置されている。
【０００６】
また、鍵本体の上面には、キャプスタンスクリューに連結されたウォーム歯車機構が設けられており、このウォーム歯車機構は、ウォームホイール、およびウォームホイールとキャプスタンスクリューを連結する連結杆などを有している。このウォームホイールを回すことにより、キャプスタンスクリューは上下方向に移動し、その高さ位置が調整される。
【０００７】
キャプスタンスクリューの高さが変化すると、キャプスタンスクリューとこれに載置されたアクションとの接点の高さもまた変化し、それにより、接点とバランスピンの間を斜めに結ぶ距離が変化する。その結果、アクションなどの重量によるバランスピン回りのモーメントが変化することによって、鍵のタッチ重さが調整される。
【０００８】
しかし、上記の従来の鍵では、キャプスタンスクリューを上下させることによりバランスピンとの間の斜めの距離を増減させているので、キャプスタンスクリューの上下方向の移動量に対するバランスピン回りのモーメントの変化量が非常に小さく、したがって、タッチ重さの調整範囲が非常に狭い。このため、所望のタッチ重さを得られないおそれがある。また、上述したようなウォームホイールや連結杆などを有する複雑な構成のウォーム歯車機構を鍵ごとに設けなければならず、製造コストが増大してしまう。
【０００９】
本発明は、上記のような課題を解決するためになされたものであり、鍵本体へのキャプスタンの取付け位置を前後方向の任意の位置に調整でき、それにより、鍵のタッチ重さをより広い範囲で調整することができる鍵盤楽器の鍵を提供することを目的としている。
【００１０】
【特許文献１】実開昭５３−１３３７２８号公報
【発明の開示】
【課題を解決するための手段】
【００１１】
上記の目的を達成するために、請求項１に係る発明は、押鍵に伴って回動することにより、アクションを駆動する鍵盤楽器の鍵であって、前後方向に延び、中央において支点に回動自在に支持された鍵本体と、鍵本体の支点よりも後ろ側に、前後方向に移動自在に設けられたキャプスタン取付け部材と、移動したキャプスタン取付け部材を、前後方向の任意の位置において鍵本体に保持する取付け部材保持手段と、キャプスタン取付け部材に一体に設けられ、アクションが載置されるとともに、押鍵に伴ってアクションを突き上げるキャプスタンと、を備えていることを特徴とする。
【００１２】
この鍵盤楽器の鍵によれば、押鍵に伴って鍵が支点を中心として回動するのに伴い、鍵の後端部のキャプスタンにより、これに載置されたアクションが突き上げられ、鍵の駆動力がアクションに伝達される。また、この鍵では、鍵本体の支点よりも後ろ側に設けられたキャプスタン取付け部材を、前後方向に移動させるとともに、移動したキャプスタン取付け部材を、取付け部材保持手段により鍵本体に保持することによって、キャプスタン取付け部材およびこれと一体のキャプスタンの取付け位置が、前後方向の任意の位置に調整される。
【００１３】
このように、キャプスタン取付け部材を移動させると、キャプスタンとアクションとの接点（以下、単に「接点」という）の位置が前後方向に変化することによって、鍵の静的荷重を調整することができる。例えば、キャプスタン取付け部材を後方に移動させると、鍵本体の支点と接点の間の距離が長くなるのに伴い、アクションなどの重量による支点回りのモーメントが大きくなるので、鍵の静的荷重は増大する。
【００１４】
以上のように、キャプスタン取付け部材の前後方向の位置を調整するだけで、鍵の静的荷重を容易に変更でき、鍵のタッチ重さを容易に調整することができる。また、キャプスタンが前後方向に移動するので、上下方向に移動させる従来の場合と比較して、接点と支点の間の距離をより大きく変化させることができ、それにより、鍵のタッチ重さをより広い範囲で調整することができる。また、調整に伴い、キャプスタンは前後方向に移動するだけで、その角度は変化しないので、押鍵による駆動力を鍵からアクションに十分に伝達することができる。
【００１５】
請求項２に係る発明は、請求項１に記載の鍵盤楽器の鍵において、キャプスタン取付け部材は、鍵本体の上面に載置されるとともに、前後方向に延びかつ上下方向に貫通する長孔を有し、取付け部材保持手段は、長孔を介して鍵本体にねじ込まれ、キャプスタン取付け部材を鍵本体に固定するねじで構成されていることを特徴とする。
【００１６】
この構成によれば、キャプスタン取付け部材の前後方向に延びる長孔に通したねじを緩めた状態で、キャプスタン取付け部材を、鍵本体の上面に沿って前後方向に移動させた後、ねじを鍵本体にねじ込むことにより、キャプスタン取付け部材およびキャプスタンは、鍵本体の上面の前後方向の任意の位置に固定される。以上のようなキャプスタン取付け部材の移動とねじの締付けという単純な作業で鍵の静的荷重を容易に変更でき、鍵のタッチ重さを容易に調整することができる。また、本発明による鍵は、上記のような長孔を有するキャプスタン取付け部材と、これを鍵本体に固定するねじという単純な構成を付加するだけでよいので、前述した従来のグランドピアノの鍵よりも製造コストを削減することができる。
【００１７】
請求項３に係る発明は、請求項１に記載の鍵盤楽器の鍵において、キャプスタン取付け部材は、鍵本体の上面に載置されるとともに、前後方向に貫通するねじ孔を有し、鍵本体の上面のキャプスタン取付け部材よりも前側および後ろ側にそれぞれ配置され、鍵本体と一体に設けられた前後のねじ支持部と、キャプスタン取付け部材の前後方向の位置を調整するために、キャプスタン取付け部材のねじ孔にねじ込まれるとともに、前後のねじ支持部に回転自在かつ前後方向に移動不能に支持された調整ねじと、をさらに備えていることを特徴とする。
【００１８】
この構成によれば、キャプスタン取付け部材のねじ孔にねじ込まれた調整ねじを回すと、調整ねじの前後方向の移動が、前後のねじ支持部により阻止されることによって、キャプスタン取付け部材は、前方または後方に鍵本体の上面を摺動し、キャプスタンとともに移動する。以上のように、調整ねじを回すだけで、キャプスタンの取付け位置を前後方向の任意の位置に無段階に設定できるので、鍵のタッチ重さをきめ細かく容易に調整することができる。
【００１９】
請求項４に係る発明は、請求項３に記載の鍵盤楽器の鍵において、鍵本体は、前後方向に延びるとともに上下方向に貫通する長孔を有し、キャプスタン取付け部材は、上下方向に貫通するねじ取付け孔を有し、取付け部材保持手段は、上方からねじ取付け孔および長孔に通されたねじと、鍵本体の下面に回転不能に設けられ、ねじがねじ込まれたナットと、を有していることを特徴とする。
【００２０】
この構成によれば、キャプスタン取付け部材のねじ取付け孔と、鍵本体の前後方向に延びる長孔に通されたねじを緩めた状態で、調整ねじを回すことにより、キャプスタン取付け部材は、鍵本体の上面に沿って前後方向に移動する。そして、鍵本体の下面に回転不能に設けられたナットにねじをねじ込むことによって、キャプスタン取付け部材およびキャプスタンは、鍵本体の上面の前後方向の任意の位置に固定される。このように、キャプスタン取付け部材を移動させた後、ねじを締め付けるだけで、キャプスタン取付け部材を容易に固定・保持することができる。また、キャプスタン取付け部材は、調整ねじがねじ込まれた状態で鍵本体に固定されるので、キャプスタン取付け部材をより安定して保持することができる。
【発明を実施するための最良の形態】
【００２１】
以下、図面を参照しながら、本発明の好ましい実施形態について詳細に説明する。図１は、本発明の第１実施形態による鍵を含むグランドピアノの鍵盤１、アクション２１、ハンマー３２などを、離鍵状態において示している。なお、以下の説明では、演奏者側から見たときのピアノの手前側を「前」、奥側を「後」として説明する。
【００２２】
鍵盤１は、複数の白鍵２（鍵）および黒鍵３（鍵）（図２にそれぞれ１つのみ図示）で構成されている。各白鍵２は、鍵本体２ａと、その前部に取り付けられた白鍵カバー２ｂを有している。鍵本体２ａは、例えばスプルスなどの木質材で構成され、前後方向に延び、断面矩形に形成されている。また、白鍵カバー２ｂは、アクリルなどの合成樹脂の成形品で構成され、Ｌ字形に形成されており、鍵本体２ａの上面前半部および前面に、これらを覆うように貼り付けられている。各黒鍵３は、白鍵２の鍵本体２ａよりも短い鍵本体３ａと、その上面前部に貼り付けられ、フェノールなどの合成樹脂の成形品で構成された黒鍵カバー３ｂを有している。
【００２３】
白鍵２および黒鍵３は、互いにほぼ同じ構成を有するので、以下、これらを代表して白鍵２について説明する。鍵本体２ａの上面中央には、堅木で構成された中座板４が貼り付けられており、鍵本体２ａから中座板４にわたって、上下方向に貫通するバランスピン孔２ｃが形成されている。
【００２４】
一方、棚板５上には筬６が設けられており、筬６は、前側から順に筬前６ａ、筬中６ｂおよび筬後６ｃを有し、これらは左右方向に延びている。筬中６ｂは、鍵本体２ａの中央に相当する位置に配置されており、筬中６ｂの白鍵２および黒鍵３に相当する部位には、例えば真鍮で構成されたバランスピン６ｄが立設されている（２つのみ図示）。また、筬中６ｂ上には、バランスピン６ｄごとにパンチングクロス６ｅが設けられており、白鍵２は、そのバランスピン孔２ｃがバランスピン６ｄに係合した状態で、バランスピン６ｄの根元付近を支点Ｓとして、パンチングクロス６ｅを介して筬中６ｂに回動自在に支持されている。
【００２５】
また、筬前６ａは、鍵本体２ａの前端部に相当する位置に配置されており、筬前６ａの白鍵２および黒鍵３に相当する部位には、フロントピン（図示せず）が立設されている。このフロントピンには、鍵本体２ａの前端部の下面に形成されたフロントピン穴（図示せず）が係合している。また、筬後６ｃは、鍵本体２ａの後端部に相当する位置に配置されており、その上面にはフェルトで構成された鍵盤枕６ｆが貼り付けられていて、離鍵状態において、鍵本体２ａの後端部が鍵盤枕６ｆに着座している。
【００２６】
鍵本体２ａの上面の中座板４よりも後ろ側の部分は、他の部分よりも低くなっており、この上面後部には、後ろ側から順にバックチェック座板１１およびキャプスタン座板１３（キャプスタン取付け部材）が設けられている。バックチェック座板１１は鍵本体２ａに固定されており、また、バックチェック座板１１にはバックチェックワイヤ１２ａが立設されていて、その上端部にはバックチェック１２が取り付けられている。
【００２７】
図３に示すように、キャプスタン座板１３は、鍵本体２ａに沿って前後方向に延びており、その上面の中央にはキャプスタンホルダ１３ａが固定されている。キャプスタンホルダ１３ａは円筒状に形成され、上方に開放するねじ穴１３ｂを有しており、このねじ穴１３ｂには、キャプスタンスクリュー１４（キャプスタン）がねじ込まれている。キャプスタンスクリュー１４は、円柱状のキャプスタン本体１４ａと、下方に突出するねじ部１４ｂを有しており、ねじ部１４ｂがキャプスタンホルダ１３ａのねじ穴１３ｂにねじ込まれることによって、キャプスタンホルダ１３ａに取り付けられている。また、キャプスタン本体１４ａの上面は上方に凸に緩やかに湾曲しており、この上面に、アクション２１の後述するウィッペン２４が載置されている。
【００２８】
キャプスタン座板１３には、キャプスタンホルダ１３ａの前後両側に、長孔１３ｃ、１３ｃがそれぞれ形成されている。各長孔１３ｃは、前後方向に延びるとともにキャプスタン座板１３を上下方向に貫通している。以上の構成のキャプスタン座板１３は、鍵本体２ａに載置されており、ねじ１５（取付け部材保持手段）が各長孔１３ｃを介して鍵本体２ａにねじ込まれることによって、キャプスタンスクリュー１４とともに鍵本体２ａの上面に固定されている。
【００２９】
黒鍵３もまた、その中央のバランスピン孔３ｃを介して、バランスピン６ｄに係合しており、このバランスピン６ｄの根元付近を支点Ｓとして、筬中６ｂに回動自在に支持されている。また、鍵本体３ａの上面後部には、バックチェック１２や、キャプスタン座板１３およびキャプスタンスクリュー１４などが、白鍵２と同様に設けられている。
【００３０】
図１に示すように、アクション２１は、鍵盤１の後部の上方に設けられており、左右方向に並設された複数のブラケット２２（１つのみ図示）の間に渡されたウィッペンレール２３に、回動自在に取り付けられたウィッペン２４と、ウィッペン２４に回動自在に支持されたジャック２５およびレペティションレバー２６などを、鍵ごとに有している（いずれも１つのみ図示）。ウィッペン２４の前後方向の中央には、下方に突出するヒール部２４ａが設けられており、このヒール部２４ａが、前述したキャプスタンスクリュー１４の上面に接点Ｃを介して接触した状態で、アクション２１がキャプスタン１４に載置されている。
【００３１】
また、複数のブラケット２２の間に渡されたハンマーシャンクレール２７には、ハンマーシャンクフレンジ３１、およびこれに回動自在に取り付けられたハンマー３２が、鍵ごとに設けられている（ともに１つのみ図示）。ハンマー３２は、そのシャンクローラ３２ａを介してレペティションレバー２６によって下方から支持され、上方に張られた弦８０に対向している。
【００３２】
以上の構成によれば、白鍵２の支点Ｓ回りには、アクション２１およびハンマー３２の重量によるモーメントが作用している。また、アクション２１およびハンマー３２は、接点Ｃを介して白鍵２のキャプスタンククリュー１４に載置されているので、支点Ｓ回りには、接点Ｃと支点Ｓの間の距離Ｄ（図１参照）に応じた大きさのモーメントが作用する。白鍵２は、押鍵されると、このモーメントに抗して、支点Ｓを中心として回動する。その際、このモーメントの大きさに応じた反力が演奏者の指先にタッチ重さとして伝えられる。
【００３３】
この押鍵に伴い、アクション２１は、キャプスタンスクリュー１４でウィッペン２４が突き上げられることにより作動し、押鍵力は、ウィッペン２４およびレペティションレバー２６を介してハンマー３２に伝達される。そして、最終的にジャック２５で突き上げられることにより、ハンマー３２が図１の時計方向に回動し、弦８０を打弦することによって、ピアノ音が発生する。
【００３４】
次に、鍵本体２ａへのキャプスタンスクリュー１４の取付け位置を調整する方法について説明する。まず、キャプスタン座板１３を鍵本体２ａに固定する前後のねじ１５、１５を緩めた後、キャプスタン座板１３を鍵本体２ａの上面に沿い、前後方向の任意の位置に移動させる。このときのキャプスタン座板１３の移動範囲は、長孔１３ｃの長さの範囲内である。そして、ねじ１５、１５を締め付けることにより、キャプスタン座板１３は、キャプスタンスクリュー１４とともに鍵本体２ａの任意の位置に固定・保持される。
【００３５】
上記のような調整作業により、キャプスタン座板１３を例えば前方に移動させると、図４に示すように、接点Ｃはより前方に位置し、支点Ｓにより近づいた状態になる。したがって、このときの接点Ｃと支点Ｓとの間の距離Ｄ１はより小さくなり、支点Ｓ回りのモーメントが小さくなる。一方、キャプスタン座板１３を後方に移動させると、図５に示すように、接点Ｃはより後方に位置し、支点Ｓからより遠い状態になる。したがって、このときの接点Ｃと支点Ｓとの間の距離Ｄ２はより大きくなり、支点Ｓ回りのモーメントは大きくなる。また、黒鍵３についても、白鍵２と同様にキャプスタン座板１３の前後方向の位置を変更することにより、接点Ｃと支点Ｓとの間の距離Ｄが調整される。
【００３６】
以上のように、本実施形態によれば、キャプスタン座板１３を前後方向に移動させ、ねじ１５、１５を締め付けることによって、キャプスタンスクリュー１４の取付け位置を前後方向の任意の位置に無段階に設定でき、接点Ｃと支点Ｓの間の距離Ｄを調整することができる。それにより、鍵の静的荷重を容易に変更でき、鍵のタッチ重さを容易に調整することができる。また、キャプスタンスクリュー１４はキャプスタン座板１３とともに前後方向に移動するので、キャプスタンスクリュー１４を上下方向に移動させる従来の場合と比較して、距離Ｄをより大きく変化させることができ、鍵のタッチ重さをより広い範囲で調整することができる。また、タッチ重さの調整に伴い、キャプスタンスクリュー１４は、前後方向に移動するだけで、その角度は変化しないので、押鍵による駆動力を鍵からアクション２１に十分に伝達することができる。
【００３７】
また、上記のように、キャプスタン座板１３の移動と、ねじ１５、１５の締付けという簡単な作業で、鍵のタッチ重さを容易に調整することができる。さらに、白鍵２および黒鍵３は、一般的な鍵に対し、長孔１３ｃ、１３ｃを有するキャプスタン座板１３と、これを固定するねじ１５、１５という単純な構成を付加しただけのものなので、前述した従来のグランドピアノの鍵よりも製造コストを削減することができる。
【００３８】
さらに、キャプスタンスクリュー１４は、キャプスタン座板１３のキャプスタンホルダ１３ａにねじ込まれているので、ねじ込み量を調整することにより、接点Ｃの高さを調整することができる。したがって、キャプスタンスクリュー１４の前後方向の位置に加え、上下方向の位置を調整することによって、鍵のタッチ重さをよりきめ細かく調整することが可能である。
【００３９】
図６は、本発明の第２実施形態による鍵を含むアップライトピアノの鍵盤４１、アクション６１およびハンマー７１などを、離鍵状態において示している。鍵盤４１は、複数の白鍵４２（鍵）および黒鍵４３（鍵）（図７にそれぞれ１つのみ図示）で構成されている。白鍵４２は、第１実施形態のグランドピアノの白鍵２と同様、鍵本体４２ａおよび白鍵カバー４２ｂを有しており、また、黒鍵４３も、鍵本体４３ａおよび黒鍵カバー４３ｂを有している。本実施形態においても、白鍵４２および黒鍵４３は互いにほぼ同じ構成を有するので、以下、これらを代表して白鍵４２について説明する。
【００４０】
棚板４４上には、白鍵４２および黒鍵４３の前部から中央に相当する位置に筬４６が設けられており、筬４６の後端部には左右方向に延びるバランスレール４６ｂが設けられている。白鍵４２は、そのバランスピン孔４２ｃがバランスレール４６ｂに立設されたバランスピン６ｄに係合しており、バランスピン６ｄの根元付近を支点Ｓとして、バランスレール４６ｂにパンチングクロス６ｅを介して回動自在に支持されている。また鍵本体４２ａは、離鍵状態においてバックレール４７に設けられた鍵盤枕４７ａに着座している。
【００４１】
図８〜図１０に示すように、白鍵４２の鍵本体４２ａの下面後端部には、前後方向に長い矩形状の凹部４２ｂが形成されている。また、鍵本体４２ａには、凹部４２ｂと上面の間を上下方向に貫通する左右２つの長孔４２ｃ、４２ｃが形成されており、両長孔４２ｃ、４２ｃは、前後方向に互いに平行に延びている。
【００４２】
また、鍵本体４２ａの上面には、凹部４２ｂに対応する位置に、ブロック状のキャプスタン取付け部材５１が設けられている。キャプスタン取付け部材５１は、左右の長孔４２ｃ、４２ｃを前後方向に部分的に覆うように鍵本体４２ａに載置されている。このキャプスタン取付け部材５１には、例えば真鍮製のポストワイヤ５２ａが、鍵本体４２ａの上面に対して垂直に立設されており、その上端部にキャプスタンボタン５２（キャプスタン）が設けられている。キャプスタンボタン５２は上下方向に長い円柱状に形成されており、このキャプスタンボタン５２に、アクション６１の後述するウィッペン６３が載置されている。また、キャプスタン取付け部材５１には、ポストワイヤ５２ａの左右両側に、上下方向に貫通するねじ取付け孔５１ａ、５１ａがそれぞれ形成されている。
【００４３】
以上の構成のキャプスタン取付け部材５１は、保持金具５３（取付け部材保持手段）によって、鍵本体４２ａの上面に固定されている。保持金具５３は、各ねじ取付け孔５１ａおよび長孔４２ｃに上方から通された固定ねじ５３ａ（ねじ）と、鍵本体４２ａの凹部４２ｂ内に設けられた固定板５３ｂと、各固定ねじ５３ａがねじ込まれたナット５３ｃを有している。固定板５３ｂは、凹部４２ｂとほぼ同じ幅と凹部４２ｂよりも短い前後方向の長さを有しており、凹部４２ｂに収容されている。また、固定板５３ｂには、固定ねじ５３ａ、５３ａを通すための左右２つの孔が形成されており、固定板５３ｂの下面には、これらの孔に対応する位置に、左右２つのナット５３ｃ、５３ｃが固定されている。以上の構成の保持金具５３により、キャプスタン取付け部材５１は、キャプスタンボタン５２とともに鍵本体４２ａの上面に固定されている。
【００４４】
また、キャプスタン取付け部材５１には、前後方向に貫通するねじ孔５１ｂが形成されており、このねじ孔５１ｂに調整ねじ５４のねじ部５４ｂがねじ込まれいる。このねじ部５４ｂは、調整ねじ５４に両端部を残して形成されており、調整ねじ５４の前端面には、この調整ねじ５４を回すための溝５４ａが形成されている。
【００４５】
また、キャプスタン取付け部材５１の前後両側には、ブロック状の支持部材５５、５６（前後の支持部）がそれぞれ設けられ、鍵本体４２ａの上面に固定されている。前後の支持部材５５、５６には、ねじ取付け孔５５ａおよびねじ取付け穴５６ａが、キャプスタン取付け部材５１のねじ孔５１ｂとそれぞれ同心状に形成されている。また、ねじ取付け孔５５ａは、前後方向に貫通しており、その前端部の径は、他の部分よりも若干、小さい抜止め部５５ｂになっている。また、後ろ側の支持部材５６のねじ取付け穴５６ａの背面側は背壁５６ｂによってふさがれている。
【００４６】
前側の支持部材５５のねじ取付け孔５５ａには、調整ねじ５４の前部が嵌合しており、その前方への移動が抜止め部５５ｂによって規制される。また、後ろ側の支持部材５６のねじ取付け穴５６ａには、調整ねじ５４の後端部が嵌合しており、その後方への移動が背壁５６ｂによって規制される。したがって、調整ねじ５４は、前後の支持部材５５、５６に挟まれた状態で前後方向に移動不能かつ回転自在に支持されている。
【００４７】
黒鍵４３もまた、その中央のバランスピン孔４３ｃを介して、バランスピン６ｄに係合しており、バランスピン６ｄを支点Ｓとして、バランスレール４６ｂに回動自在に支持されている。また、鍵本体４３ａの上面後端部には、キャプスタン取付け部材５１や調整ねじ５４などが、白鍵４２と同様に設けられている。
【００４８】
図６に示すように、アクション６１は、鍵盤４１の後端部の上方に配置されており、鍵ごとに設けられたウィッペン６３、バット６５、およびダンパー６６を有し（いずれも１つのみ図示）、これらは、センターレール６２に回動自在に取り付けられている。また、ウィッペン６３にはジャック６４が回動自在に取り付けられ、バット６５に下方から係合している。また、ウィッペン６３の下端部が前述したキャプスタンボタン５２に接点Ｃを介して接触した状態で、アクション６１がキャプスタンボタン５２に載置されている。また、バット６５にはハンマー７１が一体に設けられており、後方に張られた弦８０に対向している。
【００４９】
以上の構成によれば、第１実施形態のグランドピアノの白鍵２の場合と同様に、アクション６１およびハンマー７１が、接点Ｃを介して白鍵４２のキャプスタンボタン５２に載置されているので、白鍵４２の支点Ｓ回りには、接点Ｃと支点Ｓの間の距離Ｄ（図６参照）に応じた大きさのモーメントが作用する。その結果、このモーメントの大きさに応じたタッチ重さが得られる。
【００５０】
押鍵に伴い、アクション６１は、キャプスタンボタン５２でウィッペン６３が突き上げられることにより作動し、押鍵力は、ウィッペン６３およびジャック６４を介してハンマー７１に伝達される。そして、ジャック６４で突き上げられることにより、ハンマー７１が図６の反時計方向に回動し、弦８０を打弦することによってピアノ音が発生する。
【００５１】
次に、鍵本体４２ａへのキャプスタンボタン５２の取付け位置を調整する方法について説明する。まず、固定ねじ５３ａ、５３ａを緩めることにより、固定ねじ５３ａ、ナット５３ｃおよび固定板５３ｂの締付け状態を解除し、キャプスタン取付け部材５１を移動可能な状態にする。次いで、図１１に示すように、ドライバＴにより溝５４ａを介して調整ねじ５４を回す。この場合、調整ねじ５４の前後方向の移動が前後の支持部材５５、５６により規制されるので、キャプスタン取付け部材５１は、鍵本体４２ａの上面を前後方向に摺動する。次に、固定ねじ５３ａ、５３ａを回し、ナット５３ｃ、５３ｃとの間で締め付けることにより、キャプスタン取付け部材５１は、キャプスタンボタン５２とともに鍵本体４２ａの任意の位置に固定・保持される。
【００５２】
上記のような調整作業によりキャプスタン取付け部材５１を前方に移動させると、図１２に示すように、接点Ｃと支点Ｓとの間の距離Ｄ３はより小さくなることによって、支点Ｓ回りのモーメントが小さくなり、それに応じてタッチ重さも小さくなる。一方、キャプスタン取付け部材５１を後方に移動させると、図１３に示すように、接点Ｃと支点Ｓとの間の距離Ｄ４はより大きくなり、タッチ重さが大きくなる。また、黒鍵４３についても、白鍵４２と同様にキャプスタン取付け部材５１の前後方向の位置を変更することにより、接点Ｃと支点Ｓとの間の距離Ｄが調整される。
【００５３】
以上のように、本実施形態によれば、固定ねじ５３ａを緩め、調整ねじ５４を回すことによって、キャプスタン取付け部材５１の取付け位置を前後方向の任意の位置に無段階に設定することができる。それにより、支点Ｓ回りのモーメントが増減し、鍵の静的荷重が変化するので、鍵のタッチ重さをきめ細かく容易に調整することができる。また、その状態で、固定ねじ５３ａを締め付けるだけで、移動させたキャプスタン取付け部材５１を鍵本体４２ａの任意の位置に容易に固定・保持することができる。
【００５４】
また、キャプスタン取付け部材５１は、調整ねじ５４がねじ込まれた状態で鍵本体４２ａに固定されているので、前述した第１実施形態と比較して、キャプスタン取付け部材５１をより安定して保持することができる。さらに、前述した第１実施形態のキャプスタンスクリュー１４と同様、キャプスタンボタン５２は、前後方向に移動するだけで、その角度は変化しないので、押鍵による駆動力を鍵からアクション６１に十分に伝達することができる。
【００５５】
なお、本発明は、上述した実施形態に限定されることなく、種々の態様で実施することができる。例えば、第２実施形態では、キャプスタンとして、キャプスタンボタン５２が、キャプスタン取付け部材５１にポストワイヤ５２ａを介して取り付けられているが、より高さの低いアップライトピアノに適用するために、キャプスタンボタン５２およびポストワイヤ５２ａに代えて、第１実施形態と同様のキャプスタンスクリューを用いてもよい。
【００５６】
また、第１実施形態のグランドピアノにおけるキャプスタン座板１３に代えて、第２実施形態のキャプスタン取付け部材５１および調整ねじ５４などを用いてもよい。また、第２実施形態のアップライトピアノにおけるキャプスタン取付け部材５１および調整ねじ５４などに代えて、第１実施形態のキャプスタン座板１３などを用いてもよい。
【００５７】
さらに、実施形態は、本発明をアップライトピアノまたはグランドピアノの鍵に適用した例であるが、他の鍵盤楽器、例えば、押鍵に伴い、鍵に設けたキャプスタンにより駆動されるアクションなどを有する鍵盤楽器の鍵に適用してもよい。その他、細部の構成を、本発明の趣旨の範囲内で適宜、変更することが可能である。
【図面の簡単な説明】
【００５８】
【図１】本発明の第１実施形態による鍵を用いたグランドピアノの鍵盤、アクションおよびハンマーなどを示す側面図である。
【図２】図１のグランドピアノの鍵盤を示す斜視図である。
【図３】図１の鍵のキャプスタン座板およびキャプスタンスクリューなどとその付近を示す斜視図である。
【図４】図１のキャプスタン座板およびキャプスタンスクリューを前方に移動させた状態を示す側面図である。
【図５】図１のキャプスタン座板およびキャプスタンスクリューを後方に移動させた状態を示す側面図である。
【図６】本発明の第２実施形態による鍵を用いたアップライトピアノの鍵盤、アクションおよびハンマーなどを示す側面図である。
【図７】図６のアップライトピアノの鍵盤を示す斜視図である。
【図８】図７の線Ａ−Ａに沿う断面図である。
【図９】図７の線Ｂ−Ｂに沿う断面図である。
【図１０】鍵本体の下面の後端部を示す平面図である。
【図１１】ドライバによるキャプスタン取付け部材の前後方向の位置の調整方法を示す図である。
【図１２】図６のキャプスタン取付け部材およびキャプスタンボタンを前方に移動させた状態を示す側面図である。
【図１３】図６のキャプスタン取付け部材およびキャプスタンボタンを後方に移動させた状態を示す側面図である。
【符号の説明】
【００５９】
２    白鍵（鍵）
２ａ  鍵本体
３    黒鍵（鍵）
３ａ  鍵本体
１３    キャプスタン座板（キャプスタン取付け部材）
１３ｃ  長孔
１４    キャプスタンスクリュー（キャプスタン）
１５    ねじ（取付け部材保持手段）
２１    アクション  
４２    白鍵（鍵）
４２ａ  鍵本体
４２ｃ  長孔
４３    黒鍵（鍵）
４３ａ  鍵本体
５１    キャプスタン取付け部材
５１ａ  ねじ取付け孔
５２    キャプスタンボタン（キャプスタン）
５３    保持金具（取付け部材保持手段）
５３ａ  固定ねじ（ねじ）
５３ｃ  ナット
５４    調整ねじ
５５    支持部材（支持部）
５６    支持部材（支持部）
６１    アクション
Ｓ    支点
【図１】
2008090167.tif 000003
【図２】
2008090167.tif 000004
【図３】
2008090167.tif 000005
【図４】
2008090167.tif 000006
【図５】
2008090167.tif 000007
【図６】
2008090167.tif 000008
【図７】
2008090167.tif 000009
【図８】
2008090167.tif 000010
【図９】
2008090167.tif 000011
【図１０】
2008090167.tif 000012
【図１１】
2008090167.tif 000013
【図１２】
2008090167.tif 000014
【図１３】
2008090167.tif 000015